(57)【要約】【課題】着信後直ちに呼切断される迷惑通信を防止することを目的とする。【解決手段】着信信号生成指示子を受けるとタイマを起動し、着信動作待ちへ遷移する。タイマが満了した後に着信動作を行い、タイマが満了する前に切断された場合は初期状態へ遷移する。【選択図】　図１
2004096531.tif 000002
【特許請求の範囲】
【請求項１】
少なくとも一つの通信端末と呼を設定して音声、あるいは映像、あるいはデータの通信を行うことのできる通信端末において、着信信号生成の指示を受ける機能と、前記指示によりタイマを起動する機能と、前記タイマの満了後に着信動作を開始する機能とを有することを特徴とする通信端末。
【請求項２】
少なくとも一つの通信端末と呼を設定して音声、あるいは映像、あるいはデータの通信を行うことのできる通信端末において、着信信号生成の指示を受ける機能と、前記指示によりタイマを起動する機能と、前記タイマが満了する前に呼切断を検知した場合に、着信動作をすることなく待ち受け状態になる機能とを有することを特徴とする通信端末。
【請求項３】
前記タイマの満了時間を前記通信端末の利用者が設定する機能を有することを特徴とする請求項１または２に記載の通信端末。
【請求項４】
少なくとも一つの通信端末と呼を設定して音声、あるいは映像、あるいはデータの通信を行うことのできる通信端末の着信方法において、着信信号生成の指示を受ける手順と、前記指示によりタイマを起動する手順と、前記タイマの満了後に着信動作を開始する手順とを有することを特徴とする着信方法。
【請求項５】
少なくとも一つの通信端末と呼を設定して音声、あるいは映像、あるいはデータの通信を行うことのできる通信端末の着信方法において、着信信号生成の指示を受ける手順と、前記指示によりタイマを起動する手順と、前記タイマが満了する前に呼切断を検知した場合に、着信動作をすることなく待ち受け状態になる手順とを有することを特徴とする着信方法。
【請求項６】
識別符号を通信相手に通知することのできる発信元通信端末と呼を設定して音声、あるいは映像、あるいはデータの通信を行うことのできる通信端末において、発信端末の識別符号を受信する機能と、発信端末の識別符号が自端末のデータベースに存在するか否かを検索する機能と、前記識別符号が前記データベース内に存在する場合に直ちに着信動作を開始する機能とを有することを特徴とする通信端末。
【請求項７】
識別符号を通信相手に通知することのできる発信元通信端末と呼を設定して音声、あるいは映像、あるいはデータの通信を行うことのできる通信端末において、発信端末の識別符号を受信する機能と、発信端末の識別符号が自端末のデータベースに存在するか否かを検索する機能と、前記識別符号が前記データベース内に存在しない場合に、タイマを起動する機能と、前記タイマの満了後に着信動作を開始する機能とを有することを特徴とする通信端末。
【請求項８】
識別符号を通信相手に通知することのできる発信元通信端末と呼を設定して音声、あるいは映像、あるいはデータの通信を行うことのできる通信端末において、発信端末の識別符号を受信する機能と、発信端末の識別符号が自端末のデータベースに存在するか否かを検索する機能と、前記識別符号が前記データベース内に存在しない場合に、タイマを起動する機能と、前記タイマが満了する前に呼切断を検知した場合に、着信動作をすることなく待ち受け状態になる機能とを有することを特徴とする通信端末。
【請求項９】
前記タイマの満了時間を前記通信端末の利用者が設定する機能を有することを特徴とする請求項６乃至８のいずれかに記載の通信端末。
【請求項１０】
識別符号を通信相手に通知することのできる発信元通信端末と呼を設定して音声、あるいは映像、あるいはデータの通信を行うことのできる通信端末の着信方法において、発信端末の識別符号が自端末のデータベースに存在するか否かを検索する手順と、前記識別符号が前記データベース内に存在する場合に直ちに着信動作を開始する手順とを有することを特徴とする着信方法。
【請求項１１】
識別符号を通信相手に通知することのできる発信元通信端末と呼を設定して音声、あるいは映像、あるいはデータの通信を行うことのできる通信端末の着信方法において、発信端末の識別符号が自端末のデータベースに存在するか否かを検索する手順と、前記識別符号が前記データベース内に存在しない場合に、タイマを起動する手順と、前記タイマの満了後に着信動作を開始する手順とを有することを特徴とする着信方法。
【請求項１２】
識別符号を通信相手に通知することのできる発信元通信端末と呼を設定して音声、あるいは映像、あるいはデータの通信を行うことのできる通信端末の着信方法において、発信端末の識別符号を受信する手順と、発信端末の識別符号が自端末のデータベースに存在するか否かを検索する手順と、前記識別符号が前記データベース内に存在しない場合に、タイマを起動する手順と、前記タイマが満了する前に呼切断を検知した場合に、着信動作をすることなく待ち受け状態になる手順とを有することを特徴とする着信方法。
【請求項１３】
請求項６乃至９のいずれかに記載の通信端末における前記識別符号は電話番号であることを特徴とする通信端末。
【請求項１４】
請求項６乃至９のいずれかに記載の通信端末における前記識別符号はＩＰアドレスであることを特徴とする通信端末。
【請求項１５】
請求項６乃至９のいずれかに記載の通信端末における前記識別符号はＭＡＣアドレスであることを特徴とする通信端末。
【請求項１６】
請求項６乃至９のいずれかに記載の通信端末における前記識別符号は発信元通信端末の利用契約者の名前であることを特徴とする通信端末。
【請求項１７】
請求項６乃至９のいずれかに記載の通信端末における前記識別符号は発信元通信端末の利用者の名前であることを特徴とする通信端末。
【請求項１８】
請求項１０乃至１２のいずれかに記載の着信方法における前記識別符号は電話番号であることを特徴とする着信方法。
【請求項１９】
請求項１０乃至１２のいずれかに記載の着信方法における前記識別符号はＩＰアドレスであることを特徴とする着信方法。
【請求項２０】
請求項１０乃至１２のいずれかに記載の着信方法における前記識別符号はＭＡＣアドレスであることを特徴とする着信方法。
【請求項２１】
請求項１０乃至１２のいずれかに記載の着信方法における前記識別符号は発信元通信端末の利用契約者の名前であることを特徴とする着信方法。
【請求項２２】
請求項１０乃至１２のいずれかに記載の着信方法における前記識別符号は発信元通信端末の利用者の名前であることを特徴とする着信方法。
【発明の詳細な説明】
【０００１】
【産業上の利用分野】
本発明は、通信端末ならびにそれに用いる着信方法に関し、さらに詳しくは、呼設定信号を受信した後、一定の期間内に切断信号を受信した場合には着信動作を行わない事のできる通信端末およびその着信方法に関する。
【０００２】
【従来の技術】
近年、携帯電話装置において、迷惑電話やいたずら電話が増加している。発信者番号を通知しない発信者からの電話は、非通知着信拒否として、発信者に発信番号を通知するメッセージを流して切断する方法がある。
【０００３】
また、特定の電話番号に対し着信許可、拒否を設定して迷惑電話を防止する方法がある（例えば、特許文献１参照）。
【０００４】
【特許文献１】
特開平０９−１８５７６号公報
【０００５】
【発明が解決しようとしている課題】
最近では、発信番号通知をして、着信音を１回だけ鳴らして切断する迷惑電話が増加している。この電話の目的は、不特定多数の相手の電話に着信履歴を残し、折り返し電話をかけてもらうことで、有料の情報提供サービスに接続することである。このような電話の着信を拒否するには、その電話番号を登録し、着信を拒否する必要があり、ただ着信を拒否するためだけに、電話帳メモリを使うことになってしまう。また、特定の番号のみ着信を許可した場合においても、着信許可を設定する必要が生じ、また、着信動作を行い、相手に着信拒否であることを通知して動作を終了するため、着信履歴が残ってしまう。
【０００６】
そこで本発明は、前記の問題点を解決するためのもので、通信端末のメモリを使い、着信拒否の設定をすることなく、迷惑電話の着信を拒否する通信端末を提供することを目的とする。
【０００７】
【課題を解決するための手段】
前期の課題を解決するために本発明は、通信端末が呼設定信号を受信してから一定のインターバルを設け、その間に切断信号を受信した場合には着信動作を行わないようにするように構成したものである。
【０００８】
これにより、発信側が、１回のコールなどのごく短時間で切断するように電話をかけた場合に、着信側では着信動作を行わないことが可能となり、このような迷惑電話、とりわけ、早朝や真夜中に多くかけられている迷惑電話の着信を防ぐ、という大きな効果が得られる。
【０００９】
【発明の実施の形態】
本発明の請求項１に記載の発明は、少なくとも一つの通信端末と呼を設定して音声、あるいは映像、あるいはデータの通信を行うことのできる通信端末において、着信信号生成の指示を受ける機能と、前記指示によりタイマを起動する機能と、前記タイマの満了後に着信動作を開始する機能とを有することを特徴としたものであり、これにより、着信信号生成後、一定期間の後に着信動作を開始することができるため、着信後直ちに切断された呼に対して着信動作を行わないという作用を有する。
【００１０】
請求項２に記載の発明は、少なくとも一つの通信端末と呼を設定して音声、あるいは映像、あるいはデータの通信を行うことのできる通信端末において、着信信号生成の指示を受ける機能と、前記指示によりタイマを起動する機能と、前記タイマが満了する前に呼切断を検知した場合に、着信動作をすることなく待ち受け状態になる機能とを有することを特徴としたものであり、これにより、着信信号生成後まもなく呼が切断された場合に着信動作を行わないという作用を有する。
【００１１】
請求項３に記載の発明は、請求項１または２に記載の通信端末において、前記タイマの満了時間を前記通信端末の利用者が設定する機能を有することを特徴としたものであり、これにより、着信動作開始までのインターバルを通信端末の利用者が適宜設定することが可能となり、迷惑通信の呼出時間が変動した場合でもその都度対応できるという作用を有する。
【００１２】
請求項４に記載の発明は、少なくとも一つの通信端末と呼を設定して音声、あるいは映像、あるいはデータの通信を行うことのできる通信端末の着信方法において、着信信号生成の指示を受ける手順と、前記指示によりタイマを起動する手順と、前記タイマの満了後に着信動作を開始する手順とを有することを特徴としたものであり、これにより、着信信号生成後、一定期間の後に着信動作を開始することができるため、着信後直ちに切断された呼に対して着信動作を行わないという作用を有する。
【００１３】
請求項５に記載の発明は、少なくとも一つの通信端末と呼を設定して音声、あるいは映像、あるいはデータの通信を行うことのできる通信端末の着信方法において、着信信号生成の指示を受ける手順と、前記指示によりタイマを起動する手順と、前記タイマが満了する前に呼切断を検知した場合に、着信動作をすることなく待ち受け状態になる手順とを有することを特徴としたものであり、これにより、着信信号生成後まもなく呼が切断された場合に着信動作を行わないという作用を有する。
【００１４】
請求項６に記載の発明は、識別符号を通信相手に通知することのできる発信元通信端末と呼を設定して音声、あるいは映像、あるいはデータの通信を行うことのできる通信端末において、発信端末の識別符号を受信する機能と、発信端末の識別符号が自端末のデータベースに存在するか否かを検索する機能と、前記識別符号が前記データベース内に存在する場合に直ちに着信動作を開始する機能とを有することを特徴としたものであり、これにより、発信端末が特定かつ信用できる場合に着信動作を遅延させることなく直ちに行うことができるという作用を有する。
【００１５】
請求項７に記載の発明は、識別符号を通信相手に通知することのできる発信元通信端末と呼を設定して音声、あるいは映像、あるいはデータの通信を行うことのできる通信端末において、発信端末の識別符号を受信する機能と、発信端末の識別符号が自端末のデータベースに存在するか否かを検索する機能と、前記識別符号が前記データベース内に存在しない場合に、タイマを起動する機能と、前記タイマの満了後に着信動作を開始する機能とを有することを特徴としたものであり、これにより、発信端末が特定できない場合に、着信信号生成後一定期間の後に着信動作を開始することができるため、着信後直ちに切断された呼に対して着信動作を行わないという作用を有する。
【００１６】
請求項８に記載の発明は、識別符号を通信相手に通知することのできる発信元通信端末と呼を設定して音声、あるいは映像、あるいはデータの通信を行うことのできる通信端末において、発信端末の識別符号を受信する機能と、発信端末の識別符号が自端末のデータベースに存在するか否かを検索する機能と、前記識別符号が前記データベース内に存在しない場合に、タイマを起動する機能と、前記タイマが満了する前に呼切断を検知した場合に、着信動作をすることなく待ち受け状態になる機能とを有することを特徴としたものであり、これにより、発信端末が特定できない場合に、着信信号生成後まもなく呼が切断された場合に着信動作を行わないという作用を有する。
【００１７】
請求項９に記載の発明は、請求項６乃至８のいずれかに記載の通信端末において、前記タイマの満了時間を前記通信端末の利用者が設定する機能を有することを特徴としたものであり、これにより、着信動作開始までのインターバルを通信端末の利用者が適宜設定することが可能となり、迷惑通信の呼出時間が変動した場合でもその都度対応できるという作用を有する。
【００１８】
請求項１０に記載の発明は、識別符号を通信相手に通知することのできる発信元通信端末と呼を設定して音声、あるいは映像、あるいはデータの通信を行うことのできる通信端末の着信方法において、発信端末の識別符号が自端末のデータベースに存在するか否かを検索する手順と、前記識別符号が前記データベース内に存在する場合に直ちに着信動作を開始する手順とを有することを特徴としたものであり、これにより、発信端末が特定かつ信用できる場合に着信動作を遅延させることなく直ちに行うことができるという作用を有する。
【００１９】
請求項１１に記載の発明は、識別符号を通信相手に通知することのできる発信元通信端末と呼を設定して音声、あるいは映像、あるいはデータの通信を行うことのできる通信端末の着信方法において、発信端末の識別符号が自端末のデータベースに存在するか否かを検索する手順と、前記識別符号が前記データベース内に存在しない場合に、タイマを起動する手順と、前記タイマの満了後に着信動作を開始する手順とを有することを特徴としたものであり、これにより、発信端末が特定できない場合に、着信信号生成後一定期間の後に着信動作を開始することができるため、着信後直ちに切断された呼に対して着信動作を行わないという作用を有する。
【００２０】
請求項１２に記載の発明は、識別符号を通信相手に通知することのできる発信元通信端末と呼を設定して音声、あるいは映像、あるいはデータの通信を行うことのできる通信端末の着信方法において、発信端末の識別符号を受信する手順と、発信端末の識別符号が自端末のデータベースに存在するか否かを検索する手順と、前記識別符号が前記データベース内に存在しない場合に、タイマを起動する手順と、前記タイマが満了する前に呼切断を検知した場合に、着信動作をすることなく待ち受け状態になる手順とを有することを特徴としたものであり、これにより、発信端末が特定できない場合に、着信信号生成後まもなく呼が切断された場合に着信動作を行わないという作用を有する。
【００２１】
請求項１３に記載の発明は、請求項６乃至９のいずれかに記載の通信端末における前記識別符号は電話番号であることを特徴としたものであり、これにより、電話番号により相手を特定して通信をするシステムにおいて迷惑通信を防止するという作用を有する。
【００２２】
請求項１４に記載の発明は、請求項６乃至９のいずれかに記載の通信端末における前記識別符号はＩＰアドレスであることを特徴としたものであり、これにより、ＩＰアドレスにより相手を特定して通信をするシステムにおいて迷惑通信を防止するという作用を有する。
【００２３】
請求項１５に記載の発明は、請求項６乃至９のいずれかに記載の通信端末における前記識別符号はＭＡＣアドレスであることを特徴としたものであり、これにより、ＭＡＣアドレスにより相手を特定して通信をするシステムにおいて迷惑通信を防止するという作用を有する。
【００２４】
請求項１６に記載の発明は、請求項６乃至９のいずれかに記載の通信端末における前記識別符号は発信元通信端末の利用契約者の名前であることを特徴としたものであり、これにより、利用契約者により相手を特定して通信をするシステムにおいて迷惑通信を防止するという作用を有する。
【００２５】
請求項１７に記載の発明は、請求項６乃至９のいずれかに記載の通信端末における前記識別符号は発信元通信端末の利用者の名前であることを特徴としたものであり、これにより、利用者により相手を特定して通信をするシステムにおいて迷惑通信を防止するという作用を有する。
【００２６】
請求項１８に記載の発明は、請求項１０乃至１２のいずれかに記載の着信方法における前記識別符号は電話番号であることを特徴としたものであり、これにより、電話番号により相手を特定して通信をするシステムにおいて迷惑通信を防止するという作用を有する。
【００２７】
請求項１９に記載の発明は、請求項１０乃至１２のいずれかに記載の着信方法における前記識別符号はＩＰアドレスであることを特徴としたものであり、これにより、ＩＰアドレスにより相手を特定して通信をするシステムにおいて迷惑通信を防止するという作用を有する。
【００２８】
請求項２０に記載の発明は請求項１０乃至１２のいずれかに記載の着信方法における前記識別符号はＭＡＣアドレスであることを特徴としたものであり、これにより、ＭＡＣアドレスにより相手を特定して通信をするシステムにおいて迷惑通信を防止するという作用を有する。
【００２９】
請求項２１に記載の発明は、請求項１０乃至１２のいずれかに記載の着信方法における前記識別符号は発信元通信端末の利用契約者の名前であることを特徴としたものであり、これにより、利用契約者により相手を特定して通信をするシステムにおいて迷惑通信を防止するという作用を有する。
【００３０】
請求項２２に記載の発明は、請求項１０乃至１２のいずれかに記載の着信方法における前記識別符号は発信元通信端末の利用者の名前であることを特徴としたものであり、これにより、利用者により相手を特定して通信をするシステムにおいて迷惑通信を防止するという作用を有する。
【００３１】
以下、本発明の実施の形態について図面を参照して説明する。
【００３２】
（実施の形態１）
図１〜図４は、本発明の実施の形態１に係る通信端末の一実施例を示したものである。
【００３３】
図１は、通信端末の構成を示すブロック図である。図１において、１０１は受信又は送信信号を復調または変調を行う送受信処理部、１０２は音声・画像情報と電子メールやファイルなどのデータと制御情報を分離または付加する、また、ネットワークに対する信号の送受信タイミングを制御するアクセス制御部、１０３はマイク１１０、カメラ１１２から入力された音声あるいは映像信号の圧縮し、アクセス制御部１０２から入力された音声あるいは映像情報の伸張し、スピーカ１１１あるいはディスプレイ１１３に出力を行うコーデック部、１０４は発信動作や着信動作などの基本動作を行う処理と、受信したデータに対応するアプリケーションの起動など、本通信端末の動作全体を制御する処理を行う制御部、１０５は、パソコン、ナビゲーションシステムあるいは各種ネットワーク機器と本通信端末を接続するための外部インタフェース部、１０６は制御部１０４からの着信信号を受け、着信動作の制御を行う着信動作制御部、１０７は電話帳データや着信履歴情報を記録するフラッシュメモリ、１１６は電話番号入力や文字入力などを設定入力するための入力装置である。ＳＷ１０９は送信と受信を切替えるため、また、複数のアンテナのうち感度のよいものを選んで使用するための切り替えスイッチである。
【００３４】
上記のように構成された通信端末の動作について説明する。
【００３５】
送受信処理部１０１では、アンテナ１１９から受信した信号を周波数変換して復調処理をしたデジタル信号をアクセス制御部１０２に出力する処理と、アクセス制御部１０２から出力されたデジタル信号をアナログ信号に変換して変調および周波数変換をしてＳＷ１０９を経由し、アンテナ１１９に出力する処理を行う。
【００３６】
アクセス制御部１０２では、コーデック部１０３から入力された信号に制御情報を付加し、ネットワークにて指定されたアクセス方式に従い、本通信装置がアクセス権を獲得した場合に送受信処理部１０１に出力する処理と、送受信処理部１０１から入力された信号を音声・画像情報と電子メールやファイルなどのデータおよび制御情報に分離し、音声・画像情報をコーデック部１０３に、その他を制御部１０４に出力する。ここで、ネットワークにて指定されたアクセス方式とは、携帯電話網にて採用されているＴＤＭＡや、ＣＤＭＡ、無線ＬＡＮシステムに採用されるＣＳＭＡ／ＣＡ、有線ＬＡＮシステムに採用されるＣＳＭＡ／ＣＤや、ＡＴＭなどであってかまわない。
【００３７】
コーデック部１０３は、マイク１１０、カメラ１１２から入力された音声あるいは映像信号の圧縮しアクセス制御部１０２に出力する処理と、アクセス制御部１０２から入力された音声あるいは映像情報の伸張を行い、スピーカ１１１あるいはディスプレイ１１３に出力する処理を行う。
【００３８】
制御部１０４は、ネットワークから呼設定信号を受信すると着信動作制御部１０６に着信信号生成指示子を出力する処理と、ネットワークから切断信号を受信すると着信動作制御部１０６に呼切断指示子を出力する処理と、発信動作や着信動作などの基本動作を行う処理と、受信したデータに対応するアプリケーションの起動など、本通信端末の動作全体を制御する処理を行う。ＲＯＭ１１７は前記制御部１０４が実行するプログラムを格納し、ＲＡＭ１１８は前記制御部１０４の作業領域として用いる。
【００３９】
外部インタフェース部１０５は、パソコンと本通信端末や、ナビゲーションシステムと本通信端末、あるいは各種ネットワーク機器と本通信端末を接続するための、つまり、外部装置と本通信端末を接続するためのインタフェースであり、ＰＣＭＣＩＡ、ＲＳ２３２Ｃ、ＵＳＢ、ＩＥＥＥ１３９４、ＩＥＥＥ８０２．１１、ＵＷＢ、Ｂｌｕｅｔｏｏｔｈなどのいずれか、あるいは複数で構成される。
【００４０】
着信動作制御部１０６は、制御部１０４からの着信信号生成指示子を受けると、タイマをスタートさせて着信動作待ちになる処理と、着信動作待ち状態で制御部１０４からの呼切断指示子を受けると、着信動作待ちから着信動作を行わずに初期状態に戻る処理と、着信動作待ち状態でタイマが満了すると着信動作を開始して電話番号やフラッシュメモリ１０７に格納されている該当電話帳データのディスプレイ１１３表示および必要に応じて着信音発生もしくはバイブレータ１１４起動のいずれかあるいは双方を行う処理と、着信動作を行った場合に通信中になるか、呼が切断されるかのいずれかで着信履歴情報をフラッシュメモリ１０７に格納する処理と、を行う。
【００４１】
フラッシュメモリ１０７は、本通信端末固有の識別符号や、電話番号、外部ネットワークよりダウンロードしたアプリケーションや、電話帳データを格納している。また、発着信履歴も格納する。
【００４２】
キー１１６は、電話番号入力や文字入力、通信端末の各種モードや、オンフック、オフフックなどを設定入力するための入力装置である。
【００４３】
図２は、本発明の通信端末における着信動作制御部１０６の状態遷移図を、図３、４は本発明の通信端末における着信シーケンスを示しており、図３は通常に着信する場合、図４は通信相手が発信後直ちに呼を切断した場合を示している。
【００４４】
通常動作する場合を図２、３を用いて説明する。着信動作制御部１０６は、通信端末の電源投入後、初期状態にいる（２０１）。ネットワークから通信端末に呼設定信号が送られ（Ｓ３０１）、通信端末において前記呼設定信号を受信すると、制御部１０４において着信信号生成指示子を生成し（Ｓ３０２）、着信動作制御部１０６に受け渡し、通信端末はネットワークにおいて定められたアクセス方式に基づきネットワークに呼出信号を送信する（Ｓ３０３）。
【００４５】
着信動作制御部１０６では、前記着信信号生成指示子（Ｓ３０２）を受けると、タイマを起動して（Ｓ３０４）、着信動作待ち状態（２０２）に遷移してあらかじめ設定された時間が満了するまで待つ。ここで、タイマの満了時間はたとえば５秒とする。タイマが満了するまで、通信端末において切断信号を受信しなければ、タイマが満了した時（Ｓ３０５）に着信動作状態（２０３）に遷移し、ディスプレイ１１３に発信相手の電話番号などの相手を特定する情報を表示し、必要に応じて着信音１１５発生もしくはバイブレータ１１４起動のいずれかあるいは双方を行う。着信動作の後、本通信端末の使用者がオフフック（Ｓ３０６）をする、もしくは、本通信端末が自動的に応答しオフフック状態になると、応答信号をネットワークに送信する（応答）。ネットワークにおいて通信端末からの応答信号が確認され、かつ、呼が切断されていない場合、ネットワークから通信端末に応答確認信号が送信され（応答確認）、通信端末が応答確認信号を受信すると、通話が開始される。通信端末が通話中になると（Ｓ３０９）、発信相手の電話番号、氏名などの情報と、通話したことを示す指示子を着信履歴としてフラッシュメモリ１０７に格納し、初期状態（２０１）に遷移する。
【００４６】
また、着信動作中に通信端末が切断信号を受信し、着信動作制御部１０６が制御部１０４からの呼切断指示子を受けると、発信相手の電話番号、氏名などの情報と、通話しなかったこと（不在着信）を示す指示子を着信履歴としてフラッシュメモリ１０７に格納し、初期状態（２０１）に遷移する。
【００４７】
通信相手が発信後直ちに呼を切断する場合を図２、４を用いて説明する。着信動作制御部１０６は、通信端末の電源投入後、初期状態にいる（２０１）。ネットワークから通信端末に呼設定信号が送られ（Ｓ４０１）、通信端末において前記呼設定信号を受信すると、制御部１０４において着信信号生成指示子を生成し（Ｓ４０２）、着信動作制御部１０６に受け渡し、通信端末はネットワークにおいて定められたアクセス方式に基づきネットワークに呼出信号を送信する（Ｓ４０４）。
【００４８】
着信動作制御部１０６では前記着信信号生成指示子（Ｓ４０２）を受けると、タイマを起動して（Ｓ４０３）着信動作待ち状態（２０２）に遷移してあらかじめ設定された時間が満了するまで待つ。ここで、タイマの満了時間はたとえば５秒とする。
【００４９】
タイマが満了する前に通信端末においてネットワークから送信された切断信号を受信し（Ｓ４０５）、着信動作制御部１０６が制御部１０４からの呼切断指示子を受けると、タイマをリセットして初期状態（２０１）に遷移する（Ｓ４０６）。この時、発信相手の電話番号、氏名などの情報や、通話しなかったこと（不在着信）を示す指示子をフラッシュメモリ１０７に格納する処理は行わない。
【００５０】
なお、タイマの満了時間は本実施例において５秒としているが、この値は適宜異なってもよい。また、満了時間の設定モードを通信端末に設け、通信端末の利用者がキー入力で個別に設定してもよい。
【００５１】
以上のように本実施の形態では、通信端末がネットワークからの呼設定信号を受信した後、一定のインターバルだけ着信動作を遅延して開始することにより、使用者が通信端末において着信履歴だけを残すような迷惑通信の発信元からの着信拒否を設定する手順を省略する、着信拒否をする発信元の識別符号を登録するメモリ領域を必要としない、通信端末に着信履歴だけを残すような迷惑通信による着信動作を回避する、さらにはその履歴を残さないといった優れた通信端末を提供することができる。
【００５２】
（実施の形態２）
図５〜図９は、本発明の実施の形態２に係る通信端末の一実施例を示したものである。
【００５３】
図５は、通信端末の構成を示すブロック図である。本実施の形態２は、実施の形態１とは着信動作制御部５０６内に設けられ識別符号検索部５０８により発信元の電話番号を、フラッシュメモリ５０７内に格納されている電話帳データ内にあるか否か検索するようにしたところが異なり、異なる箇所を中心に説明する。
【００５４】
制御部５０４は、ネットワークから呼設定信号を受信すると着信信号生成指示子とともに呼設定信号内に含まれる電話番号を識別符号検索部５０８に出力する処理と、ネットワークから切断信号を受信すると着信動作制御部５０６に呼切断指示子を出力する処理と、発信動作や着信動作などの基本動作を行う処理と、受信したデータに対応するアプリケーションの起動など、本通信端末の動作全体を制御する処理を行う。ＲＯＭ１１７は前記制御部５０４が実行するプログラムを格納し、ＲＡＭ１１８は前記制御部５０４の作業領域として用いる。
【００５５】
識別符号検索部５０８は、着信動作制御部５０６内に設けられ、制御部５０４から着信信号生成指示子を受け取ると、前記着信信号生成指示子とともに受け取った発信元の電話番号を、フラッシュメモリ５０７内に格納されている電話帳データ内にあるか否か検索する。一致するものがあれば識別符号一致指示子を、一致するものがなければ識別符号不一致指示子を着信動作制御部５０６に受け渡す。
【００５６】
着信動作制御部５０６は、識別符号検索部５０８からの識別符号一致指示子を受けると着信動作を起動する処理と、識別符号検索部５０８からの識別符号不一致指示子を受けるとタイマをスタートさせて着信動作待ちになる処理と、着信動作待ち状態で制御部５０４からの呼切断指示子を受けると、着信動作待ちから着信動作を行わずに初期状態に戻る処理と、着信動作待ち状態でタイマが満了すると着信動作を開始して電話番号やフラッシュメモリ５０７に格納されている該当電話帳データのディスプレイ１１３表示および必要に応じて着信音１１５発生もしくはバイブレータ１１４起動のいずれかあるいは双方を行う処理と、着信動作を行った場合に通信中になるか、呼が切断されるかのいずれかで着信履歴情報をフラッシュメモリ５０７に格納する処理と、を行う。
【００５７】
他の機能ブロックは、実施の形態１にて説明したとおりである。
【００５８】
図６は、本発明の通信端末における着信動作制御部５０６の状態遷移図を、図７〜図９は本発明の通信端末における着信シーケンスを示しており、図７は電話帳データに登録済みの発信者からの発信による着信の場合、図８は電話帳データに登録していない発信者からの通常の発信による着信の場合、図９は電話帳データに登録していない発信者が発信後直ちに呼を切断した場合を示している。
【００５９】
電話帳データに登録済みの発信者からの発信による着信の場合を図６、図７を用いて説明する。
【００６０】
着信動作制御部５０６は、通信端末の電源投入後、初期状態にいる（６０１）。ネットワークから通信端末に呼設定信号が送られ（Ｓ７０１）、通信端末において前記呼設定信号を受信すると、制御部５０４において着信信号生成指示子を生成し（Ｓ７０２）、着信動作制御部５０６内の識別符号検索部５０８に受け渡し、通信端末はネットワークにおいて定められたアクセス方式に基づきネットワークに呼出信号を送信する（Ｓ７０３）。
【００６１】
識別符号検索部５０８では、前記着信信号生成指示子を受けると（Ｓ７０２）、発信者の電話番号が、自通信端末の電話帳データ内に存在するか否かを検索する。電話帳データ内に当該データがある場合、識別符号一致指示子を着信動作制御部５０６に渡す（Ｓ７０３）。着信動作制御部５０６は、識別符号一致指示子を受け取ると着信動作状態（６０３）に遷移し、ディスプレイ１１４に発信相手の名前などの相手を特定する情報を表示し、必要に応じて着信音１１５発生もしくはバイブレータ１１４起動のいずれかあるいは双方を行う。着信動作の後、本通信端末の使用者が、オフフック（Ｓ７０５）をする、もしくは、本通信端末が自動的に応答しオフフック状態になると、応答信号をネットワークに送信する（Ｓ７０６）。ネットワークにおいて通信端末からの応答信号が確認され、かつ、呼が切断されていない場合、ネットワークから通信端末に応答確認信号が送信され（Ｓ７０７）、通信端末が応答確認信号を受信すると、通話が開始される。通信端末が通話中になると（Ｓ７０８）、発信相手の電話番号、氏名などの情報と、通話したことを示す指示子を着信履歴としてフラッシュメモリ５０７に格納し、初期状態（６０１）に遷移する。
【００６２】
また、着信動作中に通信端末が切断信号を受信し、着信動作制御部５０６が制御部５０４からの呼切断指示子を受けると、発信相手の電話番号、氏名などの情報と、通話しなかったこと（不在着信）を示す指示子を着信履歴としてフラッシュメモリ５０７に格納し、初期状態（６０１）に遷移する。
【００６３】
次に、電話帳データに登録していない発信者からの通常の発信による着信の場合を図６、８を用いて説明する。
【００６４】
着信動作制御部５０６は、通信端末の電源投入後、初期状態にいる（６０１）。ネットワークから通信端末に呼設定信号が送られ（Ｓ８０１）、通信端末において前記呼設定信号を受信すると、制御部５０４において着信信号生成指示子を生成し（Ｓ８０２）、着信動作制御部５０６内の識別符号検索部５０８に受け渡し、通信端末はネットワークにおいて定められたアクセス方式に基づきネットワークに呼出信号を送信する（Ｓ８０５）。識別符号検索部５０８では前記着信信号生成指示子を受けると（Ｓ８０２）、発信者の電話番号が、自通信端末の電話帳データ内に存在するか否かを検索する。電話帳データ内に当該データがない場合、識別符号不一致指示子を着信動作制御部５０６に渡す（Ｓ８０３）。
【００６５】
着信動作制御部５０６は、識別符号不一致指示子を受け取るとタイマを起動して（Ｓ８０４）、着信動作待ち状態（６０２）に遷移してあらかじめ設定された時間が満了するまで待つ。ここで、タイマの満了時間はたとえば５秒とする。タイマが満了するまで、通信端末において切断信号を受信しなければ、タイマが満了した時（Ｓ８０６）に着信動作状態（６０３）に遷移し、ディスプレイ１１３に発信相手の電話番号などの相手を特定する情報を表示し、必要に応じて着信音１１５発生もしくはバイブレータ１１４起動のいずれかあるいは双方を行う。着信動作の後、本通信端末の使用者が、オフフック（Ｓ８０７）をする、もしくは、本通信端末が自動的に応答しオフフック状態になると、応答信号をネットワークに送信する（Ｓ８０８）。ネットワークにおいて通信端末からの応答信号が確認され、かつ、呼が切断されていない場合、ネットワークから通信端末に応答確認信号が送信され、通信端末が応答確認信号を受信すると（Ｓ８０９）、通話が開始される。通信端末が通話中になると（Ｓ８１０）、発信相手の電話番号、氏名などの情報と、通話したことを示す指示子を着信履歴としてフラッシュメモリ５０７に格納し、初期状態（６０１）に遷移する。
【００６６】
また、着信動作中に通信端末が切断信号を受信し、着信動作制御部５０６が制御部５０４からの呼切断指示子を受けると、発信相手の電話番号、氏名などの情報と、通話しなかったこと（不在着信）を示す指示子を着信履歴としてフラッシュメモリ５０７に格納し、初期状態（６０１）に遷移する。
【００６７】
次に、通信相手が発信後直ちに呼を切断する場合を図６、図９を用いて説明する。着信動作制御部５０６は、通信端末の電源投入後、初期状態にいる（６０１）。ネットワークから通信端末に呼設定信号が送られ（Ｓ９０１）、通信端末において前記呼設定信号を受信すると、制御部５０４において着信信号生成指示子を生成し（Ｓ９０２）、着信動作制御部５０６内の識別符号検索部５０８に受け渡し、通信端末はネットワークにおいて定められたアクセス方式に基づきネットワークに呼出信号を送信する（Ｓ９０５）。
【００６８】
識別符号検索部５０８では、前記着信信号生成指示子を受けると（Ｓ９０２）、発信者の電話番号が、自通信端末の電話帳データ内に存在するか否かを検索する。電話帳データ内に当該データがない場合、識別符号不一致指示子を着信動作制御部５０６に渡す（Ｓ９０３）。着信動作制御部５０６は、識別符号不一致指示子を受け取るとタイマを起動して（Ｓ９０４）着信動作待ち状態（６０２）に遷移してあらかじめ設定された時間が満了するまで待つ。ここで、タイマの満了時間はたとえば５秒とする。
【００６９】
タイマが満了する前に通信端末において切断信号を受信し（Ｓ９０６）、着信動作制御部５０６が制御部５０４からの呼切断指示子を受けると、タイマをリセットして初期状態（６０１）に遷移する（Ｓ９０７）。この時、発信相手の電話番号、氏名などの情報や、通話しなかったこと（不在着信）を示す指示子をフラッシュメモリ５０７に格納する処理は行わない。
【００７０】
なお、タイマの満了時間は本実施例において５秒としているが、この値は適宜異なってもよい。また、満了時間の設定モードを通信端末に設け、通信端末の利用者がキー入力で個別に設定してもよい。
【００７１】
以上のように本実施の形態では、通信端末がネットワークからの呼設定信号を受信した後、発信元の識別符号が自端末の電話帳データ内を検索し、電話帳データ内に該当する識別符号が存在する場合には直ちに着信動作を開始し、前記電話帳データ内に該当する識別符号が存在しない場合には一定のインターバルだけ着信動作を遅延して開始することにより、使用者が認識している通信相手から、発信後直ちに切断されるような呼が発生した場合でも着信動作を行い、着信履歴を残し、使用者への通信要求が発生したことを通知する一方で、通信端末において着信履歴だけを残すような迷惑通信の発信元からの呼の場合には、その着信を無効にするための着信拒否を設定する手順を省略する、着信拒否をする発信元の識別符号を登録するメモリ領域を必要としない、通信端末に着信履歴だけを残すような迷惑通信による着信動作を回避する、さらにはその履歴を残さない、といった優れた通信端末を提供することができる。
【００７２】
実施の形態１、２においては、その端末の構成を日本のデジタル携帯電話方式（ＰＤＣ方式）を例にあげているが、送受信部、アクセス制御部を当該システムのものに置き換えることで、ＩＭＴ−２０００対応端末、Ｗ−ＣＤＭＡ対応端末、固定電話、ＶｏＩＰ端末、無線ＬＡＮ端末、パケット通信端末といった一般の通信端末に適用可能である。
【００７３】
本実施の形態では、通信端末を識別するための識別符号として電話番号を用いているが、相手を一意に特定できるものであればよく、たとえば通信端末のＭＡＣアドレス、ＩＰアドレス、メールアドレス、ＵＲＬアドレス、住所、利用者の名前、利用契約者の名前などの識別符号を用いてもよく、また、これらの組み合わせを用いてもかまわない。この場合、通信端末のフラッシュメモリの内部にはそれぞれ適切な識別符号を格納する。ＶｏＩＰでは、ＩＰアドレスやＵＲＬアドレスなどが識別符号となる。この時、呼を設定するための手順はＨ．３２３や、ＳＩＰ（Ｓｅｓｓｉｏｎ　Ｉｎｉｔｉａｔｉｏｎ　Ｐｒｏｔｏｃｏｌ）といったプロトコルを用いて行われる。例えばＨ．３２３では、図４などに示されるシーケンス図における呼設定信号は、Ｓｅｔｕｐメッセージに相当し、切断信号はＥｎｄＳｅｓｓｉｏｎメッセージに相当する。また、例えばＳＩＰでは、呼設定信号は、ＩＮＶＩＴＥに相当し、切断信号はＣＡＮＣＥＬに相当する。
【００７４】
【発明の効果】
以上説明したように、本発明によれば、通信端末が呼設定信号を受信してから一定のインターバルを設け、その間に切断信号を受信した場合には着信動作を行わないようにするように構成することで、通信端末のメモリを使うことなく迷惑電話の着信動作を防ぐことができ、着信履歴にも残らないため、誤って迷惑電話の発信元に発呼することを防ぐという大きな効果が得られる。
【００７５】
また、本発明によれば、通信端末が発信者の識別符号を自端末の通信相手データベースに存在するか否かを検索し、存在する場合には直ちに着信動作を行い、存在しない場合には一定のインターバルを設け、その間に切断信号を受信した場合には着信動作を行わず、着信履歴が残らないように構成することで、通信端末のメモリを使うことなく迷惑電話の着信動作を防ぎつつ、特定の相手からは直ちに着信動作を行うことができるという大きな効果が得られる。
【図面の簡単な説明】
【図１】本発明の実施の形態１に係る通信端末の構成を示すブロック図
【図２】本発明の実施の形態１に係る通信端末の着信動作制御部における状態遷移を示す図
【図３】本発明の実施の形態１に係る通信端末における通常の着信シーケンスを示す図
【図４】本発明の実施の形態１に係る通信端末において通信相手が発信後直ちに呼を切断する場合の着信シーケンス図
【図５】本発明の実施の形態２に係る通信端末の構成を示すブロック図
【図６】本発明の実施の形態２に係る通信端末の着信動作制御部における状態遷移図
【図７】本発明の実施の形態２に係る通信端末において、発信者の識別符号をデータベースに所有している場合の着信シーケンス図
【図８】本発明の実施の形態２に係る通信端末において、発信者の識別符号をデータベースに所有していない場合の通常の着信シーケンス図
【図９】本発明の実施の形態２に係る通信端末において、発信者の識別符号をデータベースに所有していない場合に通信相手が発信後直ちに呼を切断する場合の着信シーケンス図
【符号の説明】
１０１　送受信処理部
１０２　アクセス制御部
１０３　コーデック部
１０４、５０４　制御部
１０５　外部インタフェース部
１０６、５０６　着信動作制御部
１０７、５０７　フラッシュメモリ
１０９　ＳＷ
１１０　マイク
１１１　スピーカ
１１２　カメラ
１１３　ディスプレイ
１１４　バイブレータ
１１５　スピーカ
１１６　キー
１１７　ＲＯＭ
１１８　ＲＡＭ
１１９　アンテナ
５０８　識別符号検索部
【図１】
2004096531.tif 000003
【図２】
2004096531.tif 000004
【図３】
2004096531.tif 000005
【図４】
2004096531.tif 000006
【図５】
2004096531.tif 000007
【図６】
2004096531.tif 000008
【図７】
2004096531.tif 000009
【図８】
2004096531.tif 000010
【図９】
2004096531.tif 000011